(57)【特許請求の範囲】
【請求項１】
額の生え際部から後頭部の襟足部に至る中央ネットと、側頭部を覆う右サイドネット及び左サイドネットの３枚のネットを接続した全頭用かつらベースであって、前記中央ネットの前記生え際部の先端から前記襟足部後端間の中間点近傍に、くびれ部を形成し、該くびれ部を補完する張り出し部を前記左右のサイドネットに形成し、前記左右のサイドネットが、その上方に下側に凸となる曲線形状を有することを特徴とする全頭用かつらベース。
【請求項２】
前記中央ネットのくびれ部の幅が５〜７ｃｍであり、前記中間点近傍が、中間位置からやや前記襟足部側に１〜３ｃｍ寄った位置であることを特徴とする請求項１に記載の全頭用かつらベース。
【請求項３】
前記中央ネットが頭の前後方向に伸縮性を有し、前記左右のサイドネットが、頭部を囲む方向に伸縮性を有することを特徴とする請求項１または２に記載の全頭用かつらベース。
【請求項４】
額の生え際部から後頭部の襟足部に至る中央ネットと、側頭部を覆う右サイドネット及び左サイドネットの３枚のネットを接続した全頭用かつらベースであって、前記中央ネットが頭の前後方向に伸縮性を有し、前記左右のサイドネットが、頭部を囲む方向に伸縮性を有することを特徴とする全頭用かつらベース。
【発明の詳細な説明】
【技術分野】
【０００１】
本発明は全頭用のかつらベースに関し、特に、頭部への装着力に優れたかつらベースに関する。
【背景技術】
【０００２】
全頭用のかつらベースは、頭部全体をいくつかのパートに分け、各パートを覆うようにネットなどの部材で所定の形状に形成し、各部材を接続して頭部全体を覆うようにしている（たとえば、特許文献１、特許文献２）。
図３及び図４は、従来の３枚構成の全頭用かつらベースの例を示す。図３（ａ）は後頭部から見たかつらベースの図で、（ｂ）は顔の方から見た図である。図４は、かつらベースの左側面図である。
【０００３】
これらの図に示すかつらベース１０は、額側の生え際部１１ａから襟足部１１ｂまで延びる中央ネット１１と、この中央ネット１１の両側にあって、側頭部を覆う右サイドネット１２と左サイドネット１３の３枚のネットを縫合線１４で縫合して形成している。
【０００４】
中央ネット１１は、額側の生え際部１１ａから頭頂部にかけて若干その幅を広げてはいるが、全体としてほぼ一定の幅で襟足部１１ｂに達している。図４の側面図で見ると、左サイドネット１３と中央ネット１１との間の縫合線１４は、中央ネット１１の外縁線とほぼ平行な曲線になっている。
【先行技術文献】
【特許文献】
【０００５】
【特許文献１】実開昭５７−１４３２１８号
【特許文献２】実開平１−１７３１３２号
【発明の概要】
【発明が解決しようとする課題】
【０００６】
上述した３枚構成のかつらベースにおいては、縫合線１４がほぼ直線的に縦方向に２列形成されている。中央ネット１１や左右のサイドネット１２、１３は、伸縮性を備えたネット素材を使用しているが、縫合線１４に使用する縫製糸は伸縮性が無いため、縫合線１４と同じ方向には伸縮しない。すなわち、額側の生え際部１１ａから後頭部の襟足部１１ｂまでの縦方向の伸びが少ない。そのため、襟足部１１ｂを下方に引いても、縦方向の縫合線１４により生え際部１１ａが上方向にズレ上がってしまい、襟足部１１ｂの収まりに問題があった。
【０００７】
また、頭頂部から襟足部１１ｂまでの縫合線１４が直線的であるため、頭部に装着したかつらベースのフィット感が損なわれ、装着ずれの原因となっていた。
【０００８】
また、髪型によっては、七三分けなどの分け目の位置に人工皮膚を設置する場合があるが、縫合線１４上に人工皮膚を設置する場合、構造的に複雑になり、かつら製作上の問題や品質上の問題が生じるため、縫合線１４が分け目に入らないようにする必要がある。しかし、従来のものは、生え際部１１ａの幅が狭く、分け目を入れる位置が狭い範囲に制限されるという問題もあった。
【０００９】
本発明は、斯かる実情に鑑み、装着ずれを防止して、フィット感が向上する全頭用かつらベースを提供することを目的としている。
【課題を解決するための手段】
【００１０】
上記の目的を達成するために本発明のかつらベースは、額の生え際部から後頭部の襟足部に至る中央ネットと、側頭部を覆う右サイドネット及び左サイドネットの３枚のネットを接続した全頭用かつらベースであって、前記中央ネットの前記生え際部の先端から前記襟足部後端間の中間点近傍に、くびれ部を形成し、該くびれ部を補完する張り出し部を前記左右のネットに形成したことを特徴としている。
【００１１】
前記中央ネットのくびれ部の幅が５〜７ｃｍであり、前記中間点近傍が、中間位置からやや前記襟足部側に１〜３ｃｍ寄った位置である構成としたり、前記左右のサイドネットが、その上方に下側に凸となる曲線形状を有する構成としたり、前記中央ネットが頭の前後方向に伸縮性を有し、前記左右のサイドネットが、頭部を囲む方向に伸縮性を有する構成としたりすることができる。
【００１２】
また、別の構成として、本発明のかつらベースは、額の生え際部から後頭部の襟足部に至る中央ネットと、側頭部を覆う右サイドネット及び左サイドネットの３枚のネットを接続した全頭用かつらベースであって、前記中央ネットが頭の前後方向に伸縮性を有し、前記左右のサイドネットが、頭部を囲む方向に伸縮性を有することを特徴としている。
【００１３】
上記手段によれば、以下のような作用が得られる。
中央ネットのくびれ部より前の生え際部を上方に引っ張った場合、中央ネットが中間にくびれ部を有しているため、くびれ部を形成する縫合線が曲線になり、上方に引っ張る力を分散し、襟足部を引き上げることがなく、かつらベースのずれを防止できる。
【発明の効果】
【００１４】
本発明の全頭用かつらベースによれば、かつらベースの頭部への装着力が増加し、装着ずれを防止し、フィット感が向上するという優れた効果を奏する。
【図面の簡単な説明】
【００１５】
【図１】本発明の全頭用かつらベースを頭部に装着した状態示す図で、（ａ）は後頭部から見た図、（ｂ）は前面から見た図である。
【図２】本発明の全頭用かつらベースの左側面図である。
【図３】従来の全頭用かつらベースを頭部に装着した状態示す図で、（ａ）は後頭部から見た図、（ｂ）は前面から見た図である。
【図４】図３の全頭用かつらベースの左側面図である。
【発明を実施するための形態】
【００１６】
以下、本発明の実施の形態を、添付図面を参照して説明する。
図１は、本発明の全頭用かつらベースを頭部に装着した状態示す図で、（ａ）は後頭部から見た図、（ｂ）は顔面側から見た図である。図２は、本発明の全頭用かつらベースの左側面図である。
【００１７】
本発明の全頭用かつらベース１００は、図３、４の従来例で説明したのと同様に、３枚のネットから構成されている。すなわち、中央ネット１１０と右サイドネット１２０及び左サイドネット１３０の３枚である。かつらベース１００はこれら３枚のネットを縫合線１４０で縫合して一体化している。
【００１８】
中央ネット１１０は、額側の生え際部１１１から頭頂部にかけて大きくその幅を広げていき、頭頂部を越えると、逆に大きくその幅を狭めており、くびれ部１１３が形成されている。そして、くびれ部１１３を越えると、再び幅が増加して襟足部１１２に達している。一方、右サイドネット１２０と左サイドネット１３０のくびれ部１１３に対応する位置には、くびれ部１１３を補完するような突出部１２１、１３１が形成されている。
【００１９】
このように、中央ネット１１０にくびれ部１１３を形成すると、中央ネット１１０のくびれ部１１３より前側（生え際部１１２側）にくびれ部１１３から見て上向きの力が加わった場合、くびれ部１１３における縫合線１４０がカーブしているので、力が分散され、かつらベース１００がずれにくくなる。
【００２０】
実施例では、くびれ部１１３の最も狭い位置の幅Ｗを６ｃｍとしたが、くびれ部１１３のこの幅Ｗは、５〜７ｃｍの範囲が好ましい。５ｃｍ未満になると、中央ネット１１０自身による左右方向の装着力が弱くなり、フィット性が低下し、一方、くびれ部１１３の幅Ｗが７ｃｍを越えると、縫い目１４０のカーブが緩くなり、力の分散が十分できなくなってかつらベース１００がずれ易くなるからである。
【００２１】
かつらベース１００の先端の中央点をセンターフロントＣＦとし、かつらベース１００の後端の中央点をセンターバックＣＢとしたとき、本発明では、くびれ部１１３は、点ＣＦと点ＣＢの中間点Ｎの近傍に設けている。ただし、図示の実施例では、くびれ部１１３は、点ＣＦと点ＣＢ間の中間点Ｎより２ｃｍ程度点ＣＢ側に寄った位置である。中間点よりも若干（１〜３ｃｍ程度）点ＣＢ側に寄っている方が、望ましく、特に、２ｃｍが最も良好であった。
【００２２】
かつらベースの大きさには、多少の相違があるが、全体として見れば小異であり、上記した各数値は、どの大きさのかつらベースにも当てはまる数値であった。
【００２３】
中央ネット１１０、右サイドネット１２０及び左サイドネット１３０は、いずれもネットでできている。ネットは、ポリエステルなどの通常のかつらベースに使用される繊維を編んだものであるが、主として１方向にだけ伸縮し、これと直交する方向にはほとんど伸縮しない編み組織を採用している。そして、図２の矢印ａに示すように、中央ネット１１０は、点ＣＦから点ＣＢの長さに沿った方向に主として伸縮するようになっている。一方、右サイドネット１２０と左サイドネット１３０とは、矢印ｂに示す方向に主として伸縮する。すなわち左右のサイドネット１２０、１３０が共同して頭部を丸く囲うように伸縮し、かつらベースのフィット感の向上に資するようになっている。
【００２４】
図２に示すように、左サイドネット１３０は、生え際部１１１との縫合点からくびれ部１１３との縫合点までのＡの範囲で、縫い目１４０が図の下方に凸の曲線となっている。図４に示す従来例の縫い目１４を図２に重ねて仮想線で示すが、Ａの範囲では本発明と逆に上方に凸の曲線である。これは、本発明の左サイドネット１３０が、頭頂部付近では側頭部側に大きく後退し、中央ネット１１０が頭頂部を広く覆っていることを示すものである。図示は省略するが、右サイドネット１２０も同じ形状をしている。このように、中央ネット１１０は、頭頂部を広く覆っているので、装着したときのフィット感が向上するだけでなく、分け目を付ける位置を広い範囲から選択することができるようになった。
【符号の説明】
【００２５】
１００    かつらベース
１１０    中央ネット
１１１    生え際部
１１２    襟足部
１１３    くびれ部
１２０    右サイドネット
１２１    突出部
１３０    左サイドネット
１４０    縫合線
【図１】
0005845015.tif 000002
【図２】
0005845015.tif 000003
【図３】
0005845015.tif 000004
【図４】
0005845015.tif 000005